(57)【要約】【課題】  携帯電話に搭載されているカメラ機能、メール機能等を、特定の条件で自動的に自動実行させるキー操作が不要な携帯電話自動制御方法と装置を提供する。【解決手段】  携帯電話自動制御装置１は後位インターフェース７又はＵＳＢインターフェース１４にそれぞれ接続された携帯電話１１又はＰＣ１３からキー操作情報をＲＡＭ４に読込み、記憶し、電話着信信号や時刻設定等の特定条件において後位インターフェース７を介して携帯電話機インターフェース１２に接続された携帯電話１１にキー操作情報に基づくキー操作制御信号を送信して、携帯電話を制御する。【選択図】        図１
2005045714.tif 000002
【特許請求の範囲】
【請求項１】
携帯電話自動制御装置に携帯電話、パソコン等の外部機器によってインターフェースに接続された携帯電話のキー操作情報を記憶装置に記憶させ、又は前記キー操作情報を記憶させたＲＯＭを設け、特定の条件により前記記憶されたキー操作情報に基づくキー操作制御信号を前記インターフェースを介して携帯電話に送信して携帯電話を制御することを特徴とする携帯電話自動制御方法。
【請求項２】
携帯電話に記憶されている電話帳の名前や電話番号をキー操作情報として読取り、前記記憶装置に記憶することを特徴とする請求項１記載の携帯電話自動制御方法。
【請求項３】
携帯電話に記憶又は送信されたメール文章をキー操作入力情報として読取り、前記の記憶装置に記憶することを特徴とする請求項１記載の携帯電話自動制御方法。
【請求項４】
電話着信により前記の記憶されたキー操作情報に基づくキー操作制御信号を携帯電話に送信することを特徴とする請求項１記載の携帯電話自動制御方法。  
【請求項５】
メール着信により前記の記憶されたキー操作情報に基づくキー操作制御信号を携帯電話に送信することを特徴とする請求項１記載の携帯電話自動制御方法。
【請求項６】
タイマー制御により前記の記憶されたキー操作情報に基づくキー操作制御信号を携帯電話に送信することを特徴とする請求項１記載の携帯電話自動制御方法。
【請求項７】
ボタンやセンサー等の入力装置により前記の記憶されたキー操作情報に基づくキー操作制御信号を携帯電話に送信することを特徴とする請求項１記載の携帯電話自動制御方法。
【請求項８】
携帯電話と接続するインターフェースと携帯電話のキー操作情報を記憶する記憶装置と、前記インターフェースを介して携帯電話を制御する中央処理装置を設けたことを特徴とする携帯電話自動制御装置。
【請求項９】
タイマー装置を設けたことを特徴とする請求項８記載の携帯電話自動制御装置。
【請求項１０】
ボタンやセンサー等の入力装置を設けたことを特徴とする請求項８または９記載の携帯電話自動制御装置。
【請求項１１】
携帯電話以外の機器と接続するための外部インターフェースを設けたことを特徴とする請求項８〜１０記載の携帯電話自動制御装置。
【請求項１２】
外部インターフェースとしてＵＳＢインターフェースを設けたことを特徴とする請求項１１記載の携帯電話自動制御装置。
【発明の詳細な説明】
【技術分野】
【０００１】
本発明は、携帯電話に接続し、携帯電話のキー操作を特定の条件で自動的に行う携帯電話自動制御方法とその装置に関するものである。
【背景技術】
【０００２】
現在、携帯電話は通話機能だけでなくメール機能やカメラ機能又はインターネットに接続し、Ｗｅｂページを閲覧する機能等の多機能な携帯情報端末機器であるが、その操作は主にテンキーで操作しなければならず、同じキーに複数のキー入力を持たせると共に、切換キーを併用して操作する方式であるため、その操作は複雑で時間がかかるものであった。
【０００３】
そして、携帯電話のキー操作をプログラムで実行する場合に特定のキーを操作することができない制限があり、特定の条件で自動的にキー操作を開始実行することができない。
【非特許文献１】株式会社エヌ・ティ・ティ・ドコモ  移動機開発部、「自動車携帯電話サービスを利用するための技術参考資料」、株式会社エヌ・ティ・ティ・ドコモ、  ２０００年４月３日、[online]、インターネット＜URL:http://www.nttdocomo.co.jp/corporate/r_d/reference/pdc.html＞
【発明の開示】
【発明が解決しようとする課題】
【０００４】
そこで本発明は、携帯電話に搭載されているカメラ機能、メール機能等を、特定の条件で自動的に自動実行させるキー操作が不要な携帯電話自動制御方法と装置を提供することを課題とするものである。
【課題を解決するための手段】
【０００５】
本発明は上記の課題を解決するためになされたもので、第１の発明は、携帯電話自動制御装置に携帯電話、パソコン等の外部機器によってインターフェースに接続された携帯電話のキー操作情報を記憶装置に記憶させ、又は前記キー操作情報を記憶させたＲＯＭを設け、特定の条件により前記記憶されたキー操作情報に基づくキー操作制御信号を前記インターフェースを介して携帯電話に送信して携帯電話を制御することを特徴とする携帯電話自動制御方法である。
【０００６】
第２の発明は、第１の発明において携帯電話に記憶されている電話帳の名前や電話番号をキー操作情報として読取り、前記の記憶装置に記憶することを特徴とする携帯電話自動制御方法である。
【０００７】
第３の発明は、第１の発明において携帯電話に記憶又は送信されたメール文章をキー操作入力情報として読取り、前記の記憶装置に記憶することを特徴とする携帯電話自動制御方法である。
【０００８】
第４の発明は、第１の発明において電話着信、メール着信、タイマー制御やボタンやセンサー等の入力装置により前記の記憶されたキー操作情報に基づくキー操作制御信号を携帯電話に送信することを特徴とする携帯電話自動制御方法である。
【０００９】
第５の発明は、携帯電話と接続するインターフェースと携帯電話のキー操作情報を記憶する記憶装置と、前記インターフェースを介して携帯電話を制御する中央処理装置を設けたことを特徴とする携帯電話自動制御装置である。
【００１０】
第６の発明は、第５の発明おいてタイマー装置を設けたことを特徴とする携帯電話自動制御装置である。
【００１１】
第７の発明は、第５または第６の発明おいてボタンやセンサー等の入力装置を設けたことを特徴とする携帯電話自動制御装置である。
【００１２】
第８の発明は、第５〜第７の発明において携帯電話以外の機器と接続するための外部インターフェースを設けたことを特徴とする携帯電話自動制御装置である。
【００１３】
第９の発明は、第８の発明において外部インターフェースとしてＵＳＢインターフェースを設けたことを特徴とする携帯電話自動制御装置である。
【発明の効果】
【００１４】
本発明によれば、携帯電話に搭載されているカメラ機能、メール機能等を特定の条件、時間に自動的に操作することにより自動実行させることができる。
【発明を実施するための最良の形態】
【００１５】
実施例は非特許文献１に示されるＮＴＴドコモ用携帯電話の仕様に基づく携帯電話に適用した場合の実施例について説明する。
【００１６】
図１は、本発明の一実施例のブロック図で、１は携帯電話自動制御装置、２はマイコン、３はＲＯＭ、４はＲＡＭ、５はＲＴＣ（Ｒｅａｌ  Ｔｉｍｅ  Ｃｌｏｃｋ）、６はスイッチ６ａ，６ｂ、６ｃを有するスイッチインターフェース、７は後位インターフェース、８は人体センサー、９は上記各回路に接続されるバス、１０は電源用電池、１１は携帯電話、１２は携帯電話機インターフェース、１３はパーソナルコンピュータ（ＰＣ）、１４はＰＣ３と接続するバス９に接続されたＵＳＢインターフェースである。
【００１７】
上記構成において、ＲＯＭ３には携帯電話１１に携帯電話１１のキーを操作する制御コードを送信して携帯電話１１のキー操作をするプログラムが記憶され、ＲＡＭ４には携帯電話１１のメモリから携帯電話機インターフェース１２に接続された後位インターフェース７を介して読取ったキー操作情報を記憶し、そのキー操作情報をＲＯＭ３に記憶されたプログラムがＲＡＭ４から読取り、携帯電話１１にキー操作の制御コードを送信して携帯電話１１のキー操作を自動制御する。ここで、キー操作情報とは携帯電話１１に一定の動作をさせる場合に入力する一連のキー操作を示したもので、キーを入力した時に識別される文字や非特許文献１の９９頁に示される表３．４．５の外部制御端末用シリアル信号フォーマットに従って表される制御コードなどをデータとして記載する。
【００１８】
また、ＲＡＭ４が携帯電話１１のメモリから読取るデータはキー操作情報のみでなくＲＯＭ３内のプログラムを操作するデータも含まれる。
【実施例１】
【００１９】
メールに一連のキー操作を示した制御コード（以下、制御コードＭ１という。）を記載し、携帯電話自動制御装置１のＲＡＭ４に制御コードＭ１を記憶させ、電話着信により特定のメールアドレスへメール送信する第１の実施例について説明すると次の通りである。
【００２０】
あらかじめ制御コードＭ１をメールの送信文に記載し、そのメールの宛先をｘｙｚ＠ｄｏｃｏｍｏ．ｎｅ．ｊｐの特定のアドレスにしておく。ここで制御コードＭ１は非特許文献１の９９頁に示される表３．４．５の外部制御端末用シリアル信号フォーマットに従って記載される。例えば携帯電話のメール機能を呼出し、新規メールを作成し、メールアドレスａｂｃ＠ｄｏｃｏｍｏ．ｎｅ．ｊｐにメールを送信する制御コードＭ１は図２に示す文字例で表される。表１にこの文字例で示される制御コードとその内容に対する対比表を示す。
【００２１】
【表１】
2005045714.tif 000003
【００２２】
以上の内容を記載したメール情報を携帯電話機２のメールの送信箱に保存しておく。次にスイッチ６ａを押すと携帯電話自動制御装置１のマイコン２はＲＯＭ３に記憶されたプログラムを実行し、前記送信箱に保存されたｘｙｚ＠ｄｏｃｏｍｏ．ｎｅ．ｊｐの宛先であるメールの送信文を読み出し、そこに記載された制御コードＭ１をＲＡＭ４に記憶する。携帯電話が着信し、着信信号が携帯電話から送信するとプログラムはＲＡＭ４に記憶した制御コードＭ１を携帯電話に送信する。従って電話着信により、携帯電話１１のメール機能を呼出し、新規メールとして、メールアドレスａｂｃ＠ｄｏｃｏｍｏ．ｎｅ．ｊｐにメールを送信することができる。
【実施例２】
【００２３】
上記の第１の実施例では、電話の着信によりＲＡＭ４に記憶された制御コードＭ１を送信していたが、タイマー装置であるＲＴＣ５により制御コードＭ１を送信する時刻を設定することもできる。
【００２４】
この場合は、メールの送信文に制御コードＭ１に加え、ＲＯＭ３に記憶されたプログラムを制御する制御コード（以下、制御コードＭ２という。）を記載することによって行うことができる。例えば、メールの信号文の先頭に表２に示す”Ｔ”で始まる文字列を付加することにより、携帯電話自動制御装置１が制御コードＭ２で設定した時間にＲＡＭ４に記憶された制御コードＭ１を携帯電話へ送信する。例えば１０時３０分から６０分間隔で実施例で示した操作を５回実行する制御コードＭ２は図３に示すとおりである。
【００２５】
【表２】
2005045714.tif 000004
【実施例３】
【００２６】
第３の実施例はＲＯＭ３に上記実施例１の図２に示す制御コードを送信するプログラムを記憶させておき、スイッチ６ｂをＯＮにすると図２に示す制御コードを携帯電話１１に送信し、携帯電話１１のメール機能を呼出し、新規メールとして、メールアドレスａｂｃ＠ｄｏｃｏｍｏ．ｎｅ．ｊｐにメールを送信することができる。
【実施例４】
【００２７】
第４の実施例は、携帯電話の電話帳記憶番号”０”の”電話番号領域”と”名前領域“に特定の電話番号とメールアドレスを記載しておき、スイッチ６ｃをＯＮすることによりかかる電話番号とメールアドレスをＲＡＭ４に記憶し、電話着信信号が携帯電話から送信された場合に送信元の電話番号が当該ＲＡＭ４に記憶された電話番号と一致した場合は、当該メールアドレスを制御コードとして変換してＲＯＭ３に記憶されたプログラムの制御コードに組み込み、携帯電話へ組み込まれた一連の制御コードを送信する。例えば前記電話帳記憶番号”０”の”電話番号領域”と”名前領域“に「０９０１２３４５６７８」と「ａｂｃ＠ｄｏｃｏｍｏ．ｎｅ．ｊｐ」を登録し、スイッチ６ｃをＯＮにするとＲＡＭ４に上記文字列が記憶される。ＲＯＭ３には予め図４、６に示す制御コードが記憶されており、「０９０１２３４５６７８」から着信信号があった場合にマイコン２はＲＡＭ４に格納された”電話番号領域”の文字列と比較し、一致した場合はＲＡＭ４に格納された「ａｂｃ＠ｄｏｃｏｍｏ．ｎｅ．ｊｐ」を図５に示す制御コードとして変換し、図４、図５、図６に示す制御コードを順次携帯電話１１に送信することで携帯電話のメール機能を呼出し、新規メールとして、メールアドレスａｂｃ＠ｄｏｃｏｍｏ．ｎｅ．ｊｐにメールを送信することができる。
【実施例５】
【００２８】
第５の実施例はＲＯＭ３に上記実施例１の図２に示す制御コードを送信するプログラムを記憶させておき、人体センサー８が人間や動物の発する熱線（赤外線）を感知し、その状態をセンサーＩ／Ｆ回路にて感知すると、図２に示す制御コードを携帯電話に送信し、携帯電話のメール機能を呼び出し、新規メールとして、メールアドレスａｂｃ＠ｄｏｃｏｍｏ．ｎｅ．ｊｐにメールを送信することができる。
【００２９】
この実施例によれば、外出等その場に居なくても、自宅等にこの装置を装着した携帯電話を設置しておけば、人が訪問または侵入した時に人体センサー８が感知して携帯電話が指定のメールアドレスの携帯電話等にメールを送信することによって、不在時の人の訪問等を知ることができる。
【００３０】
以上、説明した上記実施例では携帯電話１１から携帯電話自動制御装置１へキー操作情報を記憶させる実施例を示したが、ＰＣ１３から専用のアプリケーションソフトによりかかるキー操作情報を記憶させることもできる。
【００３１】
また、予め定型のキー操作情報として制御コードＭ１を送信するプログラムをＲＯＭ３に記憶させておき、制御コードＭ２により前記プログラムを実行させて制御コードＭ１を携帯電話に送信することもできる。
【００３２】
なお、上記実施例ではＮＴＴドコモの携帯電話の仕様に従って例示したものであるが、外部インターフェースを持ち、外部からの制御コードまたは制御信号により制御できる携帯電話であればこの実施例に限られるものではない。
【産業上の利用可能性】
【００３３】
予め設定した時間又は、定期的（１時間間隔）に、カメラ付携帯電話で写真を撮り、特定のアドレスへ撮って写真をメールすることが可能になる。
【００３４】
携帯電話へ電話をかけ、その着信により、カメラ付携帯電話で写真を撮り、特定のアドレスへ撮った写真をメールすることが可能になる。
【００３５】
赤外線ポート（赤外線リモコン）付の携帯電話を使用し、赤外線リモコンに対応した家電機器（ビデオ、エアコン等）を予め設定した時間に動作開始・停止させることも可能になる。又、携帯電話へ電話をかけ、その着信により、家電機器を動作開始・停止させる等、携帯電話を自動実行させることにより携帯電話以外の機器を操作することができる。
【００３６】
予め決めておいたキー操作内容形式に沿ったメールを送ることにより、メールで携帯電話のキー操作を、リモート操作することが可能になる。
【図面の簡単な説明】
【００３７】
【図１】本発明の一実施例を示すブロック図。
【図２】本発明の第１の実施例における制御コードを示す文字列。
【図３】本発明の第２の実施例における制御コードを示す文字列。
【図４】本発明の第４の実施例におけるＲＯＭ３に記憶された制御コードを示す文字列。
【図５】本発明の第４の実施例における変換された制御コードを示す文字列。
【図６】本発明の第４の実施例におけるＲＯＭ３に記憶された他の制御コードを示す文字列。
【符号の説明】
【００３８】
１    携帯電話自動制御装置
２    マイコン
３    ＲＯＭ
４    ＲＡＭ
５    ＲＴＣ
６    スイッチインターフェース
７    後位インターフェース
８    人体センサー
９    バス
１０    電源用電池
１１    携帯電話
１２    携帯電話機インターフェース
１３    ＰＣ
１４    ＵＳＢインターフェース
【図１】
2005045714.tif 000005
【図２】
2005045714.tif 000006
【図３】
2005045714.tif 000007
【図４】
2005045714.tif 000008
【図５】
2005045714.tif 000009
【図６】
2005045714.tif 000010